(57)【要約】【課題】画像読取部に光路を遮るゴミが堆積するのを防止するとともに、画像読取部における原稿のガイド機能を確保することで、読取画像の品質が低下するのを回避することができる画像読取装置を提供する。【解決手段】画像読取装置は、厚さ方向を略水平方向に向けた状態の原稿を搬送する搬送路と、該搬送路を搬送される原稿の画像を読み取る画像読取部１１０とを備える。画像読取部１１０は、搬送路を向く側に開口する開口部１０４ａと、該開口部１０４ａに配置され、搬送路を搬送される原稿をガイドする複数の突起部１０７と、を有し、該突起部１０７は、下方に傾斜して配置される。【選択図】図４
2010260692.tif 000002
【特許請求の範囲】
【請求項１】
厚さ方向を略水平方向に向けた状態の原稿を搬送する搬送路と、該搬送路を搬送される原稿の画像を読み取る画像読取部とを備える画像読取装置であって、
前記画像読取部は、前記搬送路を向く側に開口する開口部と、該開口部に配置され、前記搬送路を搬送される原稿をガイドする複数の突起部と、を有し、該突起部の少なくとも一部は、原稿の搬送方向の下流側が下がるように傾斜した形状である、
ことを特徴とする画像読取装置。
【請求項２】
前記開口部は、原稿の幅方向の画像読取範囲より広い範囲で形成される、
ことを特徴とする請求項１に記載の画像読取装置。
【請求項３】
前記開口部に、原稿の搬送方向のより下流側の部分ほど前記搬送路により近づく略垂直の壁面を有し、前記突起部は前記壁面に配置される、
ことを特徴とする請求項１又は２に記載の画像読取装置。
【請求項４】
前記突起部は、その先端部が、原稿の搬送方向のより下流側の部分ほど前記搬送路により近づく形状を有する、
ことを特徴とする請求項１〜３のいずれか一項に記載の画像読取装置。
【請求項５】
原稿の搬送面における前記画像読取部の設置領域に、前記突起部から落下したゴミを収容する凹部が形成され、前記画像読取部の下端が前記搬送面より下方に突出して前記凹部に配置される、
ことを特徴とする請求項１〜４のいずれか一項に記載の画像読取装置。
【請求項６】
前記凹部に堆積したゴミを清掃する清掃手段を備える
ことを特徴とする請求項５に記載の画像読取装置。
【請求項７】
前記画像読取部を用いて前記搬送面の近傍にて読み取られた画素データに基づき、前記凹部のゴミの堆積状態を監視する監視手段を備える
ことを特徴とする請求項５又は６に記載の画像読取装置。
【請求項８】
前記画像読取部の有効読取領域を前記搬送面より下方に延長配置し、該画像読取部の前記搬送面よりも下方の読取領域で読み取られた画素データに基づき、前記凹部のゴミの堆積状態を監視する監視手段を備える
ことを特徴とする請求項５又は６に記載の画像読取装置。
【発明の詳細な説明】
【技術分野】
【０００１】
本発明は、例えば、厚さ方向を略水平方向に向けた状態で搬送路を搬送される原稿の画像を読み取るチェックスキャナ等の画像読取装置に関する。
【背景技術】
【０００２】
図１４に、従来のこの種の画像読取装置に搭載される画像読取部の一例を示す。この画像読取部は、センサシャーシ２２４内に、搬送路を搬送される原稿に光を照射する照射ユニット２２３と、該照射ユニット２２３より照射された光の原稿からの反射光をラインセンサ２２１に導くロッドレンズアレイ２２５とが配置されている。
【０００３】
センサシャーシ２２４の原稿に対向する側には、開口部２２４ａが形成され、開口部２２４ａには、透明なコンタクトガラス２２６が取り付けられている。また、センサシャーシ２２４の搬送路から遠い方の端部には、ラインセンサ２２１を保持する基板２２２が取り付けられている。なお、ロッドレンズアレイ２２５は、搬送路を搬送される原稿の像をラインセンサ２２１上に結像可能な合焦位置を有する。
【０００４】
そして、照射ユニット２２３からの光がコンタクトガラス２２６を透過して搬送路を搬送される原稿に照射され、その反射光がコンタクトガラス２２６を透過し、ロッドレンズアレイ２２５により集光される。ロッドレンズアレイ２２５により集光された光は、ラインセンサ２２１に導かれて電気信号に変換され、これにより、原稿の画像が読み取られる。
【０００５】
ところで、コンタクトガラス２２６は、搬送路を搬送される原稿をガイドする機能や、センサシャーシ２２４内へのゴミの侵入を防止する機能を有するが、汚れやゴミの付着等により、読取画像に長いスジが入る等、読取画像の品質の低下が問題となっている。
【０００６】
このような問題を解決するため、コンタクトガラスの原稿の画像読取位置にスリットと該スリットの奥を閉止するガラス板とを設けた技術が提案されている（特許文献１）。この提案では、搬送される原稿が画像読取位置ではコンタクトガラスに接触しないので、読取画像にゴミによる長いスジ等が発生するのを防止することができる。
【０００７】
また、水平に載置された原稿の上方から画像を読み取る画像読取装置において、コンタクトガラスを用いず、画像読取部の原稿の画像読取位置に開口部を形成する技術が提案されている（特許文献２）。この提案では、ゴミの付着や堆積の起きやすいコンタクトガラスを使用しないので、読取画像にゴミによる長いスジ等が発生するのを防止するとしている。
【先行技術文献】
【特許文献】
【０００８】
【特許文献１】特開平６−３２６８３７号公報
【特許文献２】特開平１０−１３６１６８号公報
【発明の概要】
【発明が解決しようとする課題】
【０００９】
しかし、上記特許文献１及び２の構成を、厚さ方向を略水平方向に向けた状態で搬送される原稿の画像を読み取る装置に適用した場合、次に示す問題がある。
【００１０】
すなわち、コンタクトガラスのスリットを閉止するガラス板にゴミが堆積したり、画像読取部の開口部からゴミが侵入してセンサシャーシ内のロッドレンズアレイに付着或いは堆積したりする可能性がある。このため、読取画像にゴミによる長いスジ等が発生するのを防止することは難しい。また、画像読取部の開口部の開口面積が大きいと、搬送原稿をガイドする機能が低下するため、原稿の搬送不良が生じて、読取画像に歪みが発生するおそれがある。
【００１１】
そこで、本発明は、画像読取部に光路を遮るゴミが堆積するのを防止するとともに、画像読取部における原稿のガイド機能を確保することで、読取画像の品質が低下するのを回避することができる画像読取装置を提供することを目的とする。
【課題を解決するための手段】
【００１２】
上記目的を達成するために、本発明の画像読取装置は、厚さ方向を略水平方向に向けた状態の原稿を搬送する搬送路と、該搬送路を搬送される原稿の画像を読み取る画像読取部とを備える画像読取装置であって、前記画像読取部は、前記搬送路を向く側に開口する開口部と、該開口部に配置され、前記搬送路を搬送される原稿をガイドする複数の突起部と、を有し、該突起部の少なくとも一部は、原稿の搬送方向の下流側が下がるように傾斜した形状である、ことを特徴とする。
【発明の効果】
【００１３】
本発明によれば、画像読取部に光路を遮るゴミが堆積するのを防止するとともに、画像読取部における原稿のガイド機能を確保することができるので、読取画像の品質が低下するのを回避することができる。
【図面の簡単な説明】
【００１４】
【図１】本発明の第１の実施形態である画像読取装置を説明するための概略斜視図である。
【図２】図１の平面図である。
【図３】画像読取部の詳細断面図である。
【図４】画像読取部を搬送路側から見た斜視図である。
【図５】本発明の第２の実施形態である画像読取装置における画像読取部周辺の断面図である。
【図６】可動ユニットを説明するための平面図である。
【図７】清掃ユニットを説明するための斜視図である。
【図８】凹部を説明するための斜視図である。
【図９】清掃手段の変形例を説明するための断面図である。
【図１０】清掃手段の変形例を説明するための斜視図である。
【図１１】本発明の第３の実施形態である画像読取装置の要部断面図である。
【図１２】画像読取部と画像読取部の対向面との間に十分な距離がある場合、もしくは対向面が黒色である場合における、清掃タイミングの通知処理を説明するためのグラフ図である。
【図１３】画像読取部と画像読取部の対向面との間に十分な距離がない場合、もしくは対向面が黒色以外である場合における、清掃タイミングの通知処理を説明するためのグラフ図である。
【図１４】従来の画像読取装置に搭載される画像読取部の一例を示す断面図である。
【発明を実施するための形態】
【００１５】
以下、本発明の実施形態を図面を参照して説明する。
【００１６】
（第１の実施形態）
図１は本発明の第１の実施形態である画像読取装置を説明するための概略斜視図、図２は図１の平面図である。
【００１７】
図１及び図２に示すように、本実施形態の画像読取装置１００は、給紙部２０１に複数枚の原稿Ｓがその厚さ方向を略水平方向に向けた状態でセットされ、セットされた複数枚の原稿Ｓは押圧板２０２によりピックアップローラ２０５に押し付けられる。なお、本実施形態では、原稿Ｓを略垂直に立ててセットしているが、原稿Ｓの厚さ方向を略水平方向とする本発明には、原稿Ｓを垂直を０°として概ね４０°までの範囲で搬送する場合も含まれるものとする。
【００１８】
給紙部２０１にセットされた原稿Ｓは、原稿検知センサ２０３により検知されると、ピックアップローラ２０５により搬送面２１３に沿って給紙される。給紙された原稿Ｓは、フィードローラ２０６及びリタードローラ２０７により１枚ずつ分離されて搬送路に給送され、搬送路に給送された原稿は、搬送ローラ対２０８により一対の画像読取部１１０，１２０側に搬送される。一対の画像読取部１１０，１２０は、画像読取部１１０が画像読取部１２０より上流側に配置されている。
【００１９】
画像読取部１１０の上流側の近傍には、原稿Ｓの先端を検知するレジストセンサ２０４が配置され、不図示の制御部は、レジストセンサ２０４の検知信号を基に、一対の画像読取部１１０，１２０の画像読取タイミングを調整する。そして、レジストセンサ２０４を通過した原稿Ｓは、一対の画像読取部１１０，１２０によって表裏の画像が読み取られ、その後、排紙ローラ対２１１によって排紙部２１２に排紙される。
【００２０】
次に、図３及び図４を参照して、画像読取部１１０について説明する。図３は画像読取部１１０の下側から見た詳細断面図、図４は画像読取部１１０を搬送路側から見た斜視図である。なお、画像読取部１２０については、画像読取部１１０と左右が逆の構造であること以外は略同一であるため、その説明を省略する。
【００２１】
図３及び図４に示すように、画像読取部１１０は、原稿に対向する側に開口部１０４ａを有するセンサシャーシ１０４を備えており、開口部１０４ａは、原稿Ｓの幅方向（図４の上下方向）の画像読取範囲より広い範囲に渡って形成されている。センサシャーシ１０４の開口部１０４ａの搬送路上流側位置には、搬送路を搬送される原稿Ｓをガイドするガイド板１０６が搬送路に沿って取り付けられている。
【００２２】
また、センサシャーシ１０４内には、照射ユニット１０３、ロッドレンズアレイ１０５、及びラインセンサ１０１が設けられている。
【００２３】
ロッドレンズアレイ１０５は、原稿Ｓの幅方向の画像読取範囲より広い範囲に渡って原稿の幅方向に沿って延設されている。また、ロッドレンズアレイ１０５は、光軸が開口部１０４ａを介して搬送路を搬送される原稿Ｓの読取面に対して略垂直となるように配置されている。ロッドレンズアレイ１０５の搬送路に近い方の端面、及び搬送路から遠い方の端面が、それぞれ搬送路に対して略平行になるように画像読取部１１０は配置されている。
【００２４】
なお、センサシャーシ１０４とロッドレンズアレイ１０５の間にシーリング部材１２４を配置し、センサシャーシ１０４とロッドレンズアレイ１０５との隙間からラインセンサ１０１側にゴミが侵入するのを防止することが望ましい。このシーリング部材１２４は、弾性部材又は弾性部材と組み合わせた部材でもよく、粘着材等の不定形部材でも良い。
【００２５】
照射ユニット１０３は、ロッドレンズアレイ１０５よりも搬送方向の上流側に配置され、開口部１０４ａを介して搬送路を搬送される原稿Ｓの読取面に光を照射する。
【００２６】
ラインセンサ１０１は、センサシャーシ１０４の搬送路から遠い方の端部に取り付けられた基板１０２に保持されており、かかる保持状態においては、ロッドレンズアレイ１０５の搬送路から遠い方の端面に対して対向するように配置されている。ロッドレンズアレイ１０５は、搬送路を搬送される原稿Ｓの像をラインセンサ１０１上に結像可能な合焦位置を有する。
【００２７】
そして、照射ユニット１０３から開口部１０４ａを介して搬送路を搬送される原稿Ｓの読取面に光が照射されると、その反射光が開口部１０４ａを介してロッドレンズアレイ１０５により集光される。ロッドレンズアレイ１０５により集光された光は、ラインセンサ１０１に導かれて電気信号に変換され、これにより、原稿Ｓの画像が読み取られる。なお、本実施形態では、一対の画像読取部１１０，１２０を左右が逆であることを除き、同一構成としているが、いずれか一方の画像読取部を本実施形態とは異なる構成としてもよい。
【００２８】
センサシャーシ１０４のロッドレンズアレイ１０５よりも搬送方向下流側の位置には、下流側になるにつれて次第に搬送路に近づく略垂直な壁面１０８が設けられている。壁面１０８の上流端は、ロッドレンズアレイ１０５の搬送路に近い方の端面近傍に配置され、壁面１０８の下流端は、搬送路近傍に配置されている。
【００２９】
また、壁面１０８には、搬送路を搬送される原稿Ｓをガイドするリブ（突起部）１０７が、原稿Ｓの幅方向に所定の間隔で複数箇所突設されている。複数のリブ１０７は、図４に示すように、原稿Ｓの搬送方向の下流側ほど本装置の底部に近づくように傾斜させて配置されている。なお、リブ１０７の全体が傾斜している構造が好適であるが、少なくとも一部が傾斜している場合も本発明に含まれる。また、リブ１０７は、壁面１０８から遠くなるほど本装置の底部に近づくように傾斜させてもよく、このようにすると、リブ１０７へのゴミの付着、堆積が起きにくくなり、好適である。
【００３０】
以上説明したように、本実施形態では、コンタクトガラスを全て除去して画像読取部１１０，１２０の原稿Ｓの画像読取位置に開口部１０４ａを形成しているので、コンタクトガラスにゴミが付着、堆積して読取画像の品質が低下するのを回避することができる。
【００３１】
また、開口部１０４ａに原稿Ｓの搬送をガイドする複数のリブ１０７を設けているため、搬送不良等により原稿Ｓのたわみが生じて原稿Ｓの読取面がロッドレンズアレイ１０５の合焦位置からずれるのを防止でき、読取画像に歪が発生するのを回避できる。
【００３２】
また、傾斜面１０８に設けられたリブ１０７は、原稿Ｓの搬送方向の下流側ほど下がるように傾斜させて配置されているので、リブ１０７に付着しようとするゴミを落下させることができる。これにより、画像読取部１１０，１２０の開口部１０４ａにゴミが堆積するのを防止することができる。
【００３３】
（第２の実施形態）
次に、図５〜図８を参照して、本発明の第２の実施形態である画像読取装置について説明する。なお、上記第１の実施形態に対して重複又は相当する部分については、各図に同一符号を付してその説明を省略する。
【００３４】
図５は画像読取部１１０の周辺の断面図、図６は可動ユニットを説明するための平面図である。
【００３５】
本実施形態の画像読取装置は、図５、図６及び図８に示すように、搬送面２１３における画像読取部１１０，１２０の設置領域に、凹部１３１が形成されている。そして、画像読取部１１０，１２０の各センサシャーシ１０４の下端が搬送面２１３よりも下方の位置にくるように画像読取部１１０，１２０は下部を凹部１３１内に差し込まれて配置される。凹部１３１には、画像読取部１１０，１２０のリブ１０７から落下したゴミが収容される。すなわち、画像読取部１１０，１２０は、下部が搬送面２１３よりも下方に突出するように配置される。
【００３６】
また、本実施形態の画像読取装置には、図６に示すように、搬送路を開放状態にできるように可動ユニット１４０が回動可能に支持されている。可動ユニット１４０には、画像読取部１２０並びに該画像読取部１２０と同じ側のローラ群２０６，２０８，２１１及びレジストセンサ２０４が配置される。また、図６及び図７に示すように、可動ユニット１４０の下側部には、清掃ユニット１３２，１３３が設けられている。
【００３７】
清掃ユニット１３２，１３３は、凹部１３１の底面に接触するブラシ等の清掃部材１３４を有しており、可動ユニット１４０の閉動作により凹部１３１に挿入され、可動ユニット１４０の開動作により凹部１３１から離脱する。これにより、凹部１３１に溜まったゴミをかき出して外部に排出することができる。
【００３８】
図９及び図１０は、清掃手段の変形例を示す図である。この変形例では、可動ユニット１４０の下方に凹部１３１に連通する開口部１４１を形成し、開口部１４１の反対側に設置されたファン等の送風装置１３５により凹部１３１に対して送風を行う。これにより、凹部１３１に溜まったゴミを外部に排出することができる。その他の構成及び作用効果は、上記第１の実施形態と同様である。
【００３９】
（第３の実施形態）
次に、図１１〜図１３を参照して、本発明の第３の実施形態である画像読取装置について説明する。なお、上記第１の実施形態に対して重複又は相当する部分については、各図に同一符号を付してその説明を省略する。
【００４０】
本実施形態の画像読取装置は、図１１に示すように、画像読取部１１０，１２０のロッドレンズアレイ１０５が、搬送面２１３よりも下方に延長配置されている。また、図示は省略するが、ロッドレンズアレイ１０５の延長に応じて、ラインセンサ１０１及び照明ユニット１０３も同様に延長配置されており、これらの延長部分を有効読取領域の延長部１３６とする。
【００４１】
凹部１３１にゴミが無く、原稿Ｓが通過しない場合は、延長部１３６の照明ユニット１０３から照射された光の反射光量は極小さい。従って、延長部１３６のラインセンサ１０１からの出力は黒い色の原稿から画像を読み取った場合と略同じ出力になる。
【００４２】
凹部１３１にゴミが堆積し始めると、延長部１３６の照明ユニット１０３からの照射光がゴミによって反射し、反射した光がロッドレンズアレイ１０５を通じてラインセンサ１０１に入る。これにより、延長部１３６のラインセンサ１０１からの出力は、黒画像出力から徐々に明るい画像出力へとゴミの堆積量に応じて変化する。
【００４３】
従って、延長部１３６のラインセンサ１０１の出力に基づき、不図示の制御部は、凹部１３１のゴミの堆積状態を監視することができ、正確な清掃タイミングをユーザに知らせる事が可能になる。なお、この延長部１３６のラインセンサ１０１からの出力データは、画像データとして扱わないようにすることが好適である。
【００４４】
図１２は、画像読取部１１０，１２０と画像読取部１１０，１２０に対向する対向部材との間に十分な距離がある場合、もしくは対向部材が黒色である場合における、清掃タイミングの通知処理を説明するためのグラフ図である。
【００４５】
図１２（ａ）は、凹部１３１にゴミがない場合の延長部１３６のラインセンサ１０１からの出力データの一例を示すグラフ図である。図１２（ｂ）は、凹部１３１にゴミが溜まっている場合の延長部１３６のラインセンサ１０１からの出力に基づく画素データの一例を示すグラフ図である。図１２（ａ）及び図１２（ｂ）において、横軸は延長部１３６のラインセンサ１０１の受光素子の位置を示し、横軸の原点は搬送面２１３に相当する。
【００４６】
図１２（ａ）では、凹部１３１にゴミがないため、照明ユニット１０３から照射された光は反射されないので、ラインセンサ１０１に殆ど入射せず、ラインセンサ１０１の延長部１３６に対応する画素近傍で微増減する程度しか変化しない。図１２（ｂ）では、凹部１３１でのゴミの増加と共に、照明ユニット１０３から照射されゴミにより反射された反射光のラインセンサ１０１への入射量が増え、延長部１３６に対応する画素データが増大しているのが判る。
【００４７】
図１２（ｃ）は、延長部１３６のラインセンサ１０１からの出力に基づく画素データの平均値と凹部１３１でのゴミの堆積量との関係を示すグラフ図である。
【００４８】
図１２（ｃ）から判るように、凹部１３１にゴミがない場合は、延長部１３６のラインセンサ１０１からの出力に基づく画素データの値は小さく、凹部１３１でのゴミの増加と共に延長部１３６に対応する画素データの平均値が増加する。
【００４９】
ここで、画素データのとりうる範囲を例えば０〜２５５とすると、不図示の制御部は、ラインセンサ１０１の延長部１３６の出力に基づく画素データの平均値が例えば閾値１５０の一例の数値である１２８を越えた場合に、清掃要求の通知を行うか、又は画像読取動作を停止する。なお、清掃要求の通知は、例えば不図示の表示部に表示される。これにより、画像読取部１１０，１２０のリブ１０７から凹部１３１に落下したゴミが画像読取部１１０，１２０に読み取られないようにすることができる。
【００５０】
図１３は、画像読取部１１０，１２０と画像読取部１１０，１２０の対向面との間に十分な距離がないか、もしくは対向面が黒色以外である等の、対向面等からの反射を考慮する必要がある場合における、清掃タイミングの通知処理を説明するためのグラフ図である。
【００５１】
図１３（ａ）は、凹部１３１にゴミがない場合の延長部１３６のラインセンサ１０１からの出力に基づく画素データの一例を示すグラフ図である。図１３（ｂ）は、凹部１３１にゴミがある場合の延長部１３６のラインセンサ１０１からの出力に基づく画素データの一例を示すグラフ図である。図１３（ａ）及び図１３（ｂ）において、横軸は延長部１３６のラインセンサ１０１の受光素子の位置を示し、横軸の原点は搬送面２１３に相当する。
【００５２】
図１３（ａ）では、凹部１３１にゴミがない場合で、照明ユニット１０３から照射された光は対向面で反射してラインセンサ１０１に入射し、ラインセンサ１０１からの出力データが略一定に推移しているのが判る。
【００５３】
ここで、対向面からの反射光の強度に対してゴミからの反射光の強度が強ければ、容易に判別できる。しかし、黒色のゴミも存在し、対向面より反射率が低いゴミの場合もある。このため、図１３（ｂ）では、ゴミが増加するに従って、円筒部１３６に対応する各画素データにバラツキが発生し、ゴミの増加と画素データの平均値とに比例関係が無い。
【００５４】
そこで、この例では、延長部１３６に対応する画素データに関して、隣接する画素データの差分値を求め、この差分値の絶対値の平均値を用いる。
【００５５】
図１３（ｃ）は、延長部１３６に対応する部分における隣接する画素データの差分値の絶対値の平均値と凹部１３１でのゴミの堆積量との関係を示すグラフ図である。
【００５６】
図１３（ｃ）に示すように、画素データのとりうる範囲を例えば０〜２５５とし、隣接する画素データの差分値の絶対値を平均した値が例えば閾値１５１の一例の数値である１００を越えた場合に、不図示の制御部は、清掃要求の通知を行うか、または、画像読取動作を停止する。なお、清掃要求の通知は、例えば不図示の表示部に表示される。これにより、画像読取部１１０，１２０のリブ１０７から凹部１３１に落下したゴミが画像読取部１１０，１２０に読み取られないようにすることができる。
【００５７】
なお、本実施形態では、ロッドレンズアレイ１０５、ラインセンサ１０１及び照明ユニット１０３の延長部１３６がある場合を例示したが、図５に示すように、延長部１３６がない場合でも清掃タイミングの通知処理を行うことができる。
【００５８】
この場合、ロッドレンズアレイ１０５は、搬送面２１３と略同等の位置まで有効読取領域を持つ。原稿Ｓを搬送していない状態で、且つ搬送面２１３にゴミがない状態では、対向部材が黒色である等の場合、照明ユニット１０３の照明光はほとんど反射されないため、搬送面２１３の近傍に位置するラインセンサ１０１の受光画素には、僅かな光しか入射しない。従って、ラインセンサ１０１の出力に基づく画素データは微小な値となる。
【００５９】
これに対して、搬送面２１３に達するまでにゴミが溜まった状態では、照明ユニット１０３の照明光をゴミが反射し始める為、搬送面２１３の近傍に位置するラインセンサ１０１の受光素子には多少の光が入射する。このときのラインセンサ１０１の出力に基づく画素データの変化により、不図示の制御部がゴミの存在を検出して、不図示の表示部に清掃要求の通知表示を行うか、または、画像読取動作を停止する。その他の構成及び作用効果は、上記第１の実施形態と同様である。
【００６０】
なお、本発明の構成は、上記各実施形態に例示したものに限定されるものではなく、材質、形状、寸法、形態、数、配置箇所等は、本発明の要旨を逸脱しない範囲において適宜変更可能である。
【００６１】
例えば、本発明における演算や判断等の処理の一部又は全てをハードウェアによる処理に置き換えてもよい。また、本発明における演算や判断等の処理は、画像読取装置に各種インターフェース、無線インターフェース、光インターフェース等を介して接続されたＰＣ等の外部装置において実行してもよい。この場合、画像読取装置と外部装置とを含むシステムが本発明の画像読取装置に相当する。また、上記各実施形態の構成要素を他の実施形態に追加してもよく、本発明に含まれる。
【符号の説明】
【００６２】
１００      画像読取装置
１０１      ラインセンサ
１０２      基板
１０３      照明ユニット
１０４      センサシャーシ
１０４ａ    開口部
１０５      ロッドレンズアレイ
１０６      ガイド板
１０７      リブ
１０８      傾斜面
１１０      画像読取部
１２０      画像読取部
２０１      給紙部
２０２      押圧板
２０３      原稿検知センサ
２０４      レジストセンサ
２０５      ピックアップローラ
２０６      フィードローラ
２０７      リタードローラ
２０８      搬送ローラ対
２１１      排紙ローラ対
２１２      排紙部
２１３      搬送面
【図１】
2010260692.tif 000003
【図２】
2010260692.tif 000004
【図３】
2010260692.tif 000005
【図４】
2010260692.tif 000006
【図５】
2010260692.tif 000007
【図６】
2010260692.tif 000008
【図７】
2010260692.tif 000009
【図８】
2010260692.tif 000010
【図９】
2010260692.tif 000011
【図１０】
2010260692.tif 000012
【図１１】
2010260692.tif 000013
【図１２】
2010260692.tif 000014
【図１３】
2010260692.tif 000015
【図１４】
2010260692.tif 000016